(57)【特許請求の範囲】
【請求項１】
ブラインを用いて複数台のショーケースの冷却を実施するブラインを用いた冷却システムにおいて、
ブラインを冷却するブラインチラーユニットと、
一次ポンプを備えて閉回路に構成され、上記ブラインチラーユニットからのブラインを循環させる一次回路と、
上記ショーケース毎に設けられ、上記一次回路からブラインを取り込んでショーケースに内蔵された冷却器に流す二次往路、及び上記冷却器からブラインを上記一次回路へ戻す二次復路を有する二次回路と、
上記二次回路毎に設けられ、上記二次回路の上記二次復路に配設されて、上記二次回路内でブラインを流動させる二次ポンプと、
上記二次回路毎に設けられ、上記二次復路における上記二次ポンプの下流側に配設された第一電磁弁と、
上記二次回路毎に設けられ、上記二次回路の上記二次復路における上記二次ポンプと上記第一電磁弁との間から分岐され、上記二次回路の上記二次往路に接続されるとともに、第二電磁弁、霜取り用熱交換器を上流側から順次備えたバイパス回路と、を有することを特徴とするブラインを用いた冷却システム。
【請求項２】
ブラインを用いて複数台のショーケースの冷却を実施するブラインを用いた冷却システムにおいて、
ブラインを冷却するブラインチラーユニットと、
一次ポンプを備えて閉回路に構成され、上記ブラインチラーユニットからのブラインを循環させる一次回路と、
上記ショーケース毎に設けられ、上記一次回路からブラインを取り込んでショーケースに内蔵された冷却器に流す二次往路、及び上記冷却器からブラインを上記一次回路へ戻す二次復路を有する二次回路と、
上記二次回路毎に設けられ、上記二次回路の上記二次往路に配設されて、上記二次回路内でブラインを流動させる二次ポンプと、
上記二次回路毎に設けられ、上記二次復路に配設された第一電磁弁と、
上記二次回路毎に設けられ、上記二次回路の上記二次復路における上記第一電磁弁の上流側から分岐され、上記二次回路の上記二次往路における上記二次ポンプ上流側に接続されるとともに、第二電磁弁、霜取り用熱交換器を上流側から順次備えたバイパス回路と、を有することを特徴とするブラインを用いた冷却システム。
【請求項３】
上記霜取り用熱交換器が、ショーケースの天面部に設置されたことを特徴とする請求項１または２に記載のブラインを用いた冷却システム。
【請求項４】
上記二次回路における二次復路とバイパス回路との分岐部には、冷却器側と霜取り用熱交換器側と一次回路側とにそれぞれ連通可能な三方弁が、第一電磁弁及び第二電磁弁に換えて設置されたことを特徴とする請求項１乃至３のいずれかに記載のブラインを用いた冷却システム。
【請求項５】
上記各ショーケース毎に設けられた二次回路が並列に接続され、これらのショーケースにおいて、通常冷却運転と霜取り運転のうちのいずれか同一の運転が実施可能に構成されたことを特徴とする請求項１乃至４のいずれかに記載のブラインを用いた冷却システム。
【発明の詳細な説明】
【０００１】
【発明の属する技術分野】
本発明は、例えばスーパーマーケット等における複数台のショーケース内の食品等を冷却するためのブラインを用いた冷却システムに関する。
【０００２】
【従来の技術】
従来では、スーパーマーケット等におけるショーケースの冷却方法として、フロン冷媒等を用いてショーケース内の冷却器を直接冷却する直接膨張式が主流であったが、近時において、フロンの環境に対する悪影響が問題となり、市場から省フロン化の要求が高まってきている。また、食中毒等の一層の防止を図るために、ＨＡＣＣＡＰ管理（コンピュータ支援の温度管理）が導入される等、高鮮度管理化の要求も高まってきている。このような要求に応えるものの１つとして、ブライン（不凍液）を用いた冷却システムが提案されている。なお、ブライン（不凍液）としては、プロピレングリコール、エチレングリコールまたはエタノール等と水との混合物があげられる。
【０００３】
次に、ブラインを用いた冷却システムを採用してスーパーマーケットの複数台のショーケースを冷却する例を説明する。ブラインチラーユニットに往路と復路からなる１次回路を接続し、この１次回路から各ショーケースごとに、ショーケースの冷却器を含む２次回路を並列に分岐させる。各ショーケースの２次回路に対するブラインの供給は、１次回路側に設けたポンプによって行い、各ショーケースの温度制御は、ショーケース内に設けられた電磁弁をＯＮ／ＯＦＦ制御して、２次回路に流すブラインの流量を調整することにより実施している。
【０００４】
【発明が解決しようとする課題】
ところで、上述のような従来のブラインを用いた冷却システムでは、各ショーケースにおける冷却器の霜取り運転は、当該冷却器の近傍に設置された霜取り用ヒータをＯＮ動作させることにより実施される。
【０００５】
しかし、霜取りヒータのＯＮ動作のみによって霜取り運転を実施する場合には、霜取りヒータの容量を大きく設定する必要があるので、電気代が嵩み、霜取り運転時におけるランニングコストが増大してしまう。
【０００６】
本発明の目的は、上述の事情を考慮してなされたものであり、霜取り運転時におけるランニングコストを低減できるとともに、回路構成を簡便化して冷却システムのイニシャルコストも低減できるブラインを用いた冷却システムを提供することにある。
【０００７】
【課題を解決するための手段】
請求項１に記載の発明は、ブラインを用いて複数台のショーケースの冷却を実施するブラインを用いた冷却システムにおいて、ブラインを冷却するブラインチラーユニットと、一次ポンプを備えて閉回路に構成され、上記ブラインチラーユニットからのブラインを循環させる一次回路と、上記ショーケース毎に設けられ、上記一次回路からブラインを取り込んでショーケースに内蔵された冷却器に流す二次往路、及び上記冷却器からブラインを上記一次回路へ戻す二次復路を有する二次回路と、上記二次回路毎に設けられ、上記二次回路の上記二次復路に配設されて、上記二次回路内でブラインを流動させる二次ポンプと、上記二次回路毎に設けられ、上記二次復路における上記二次ポンプの下流側に配設された第一電磁弁と、上記二次回路毎に設けられ、上記二次回路の上記二次復路における上記二次ポンプと上記第一電磁弁との間から分岐され、上記二次回路の上記二次往路に接続されるとともに、第二電磁弁、霜取り用熱交換器を上流側から順次備えたバイパス回路と、を有することを特徴とするものである。
【０００８】
請求項２に記載の発明は、ブラインを用いて複数台のショーケースの冷却を実施するブラインを用いた冷却システムにおいて、ブラインを冷却するブラインチラーユニットと、一次ポンプを備えて閉回路に構成され、上記ブラインチラーユニットからのブラインを循環させる一次回路と、上記ショーケース毎に設けられ、上記一次回路からブラインを取り込んでショーケースに内蔵された冷却器に流す二次往路、及び上記冷却器からブラインを上記一次回路へ戻す二次復路を有する二次回路と、上記二次回路毎に設けられ、上記二次回路の上記二次往路に配設されて、上記二次回路内でブラインを流動させる二次ポンプと、上記二次回路毎に設けられ、上記二次復路に配設された第一電磁弁と、上記二次回路毎に設けられ、上記二次回路の上記二次復路における上記第一電磁弁の上流側から分岐され、上記二次回路の上記二次往路における上記二次ポンプ上流側に接続されるとともに、第二電磁弁、霜取り用熱交換器を上流側から順次備えたバイパス回路と、を有することを特徴とするものである。
【０００９】
請求項３に記載の発明は、請求項１または２に記載の発明において、上記霜取り用熱交換器が、ショーケースの天面部に設置されたことを特徴とするものである。
【００１０】
請求項４に記載の発明は、請求項１乃至３のいずれかに記載の発明において、上記二次回路における二次復路とバイパス回路との分岐部には、冷却器側と霜取り用熱交換器側と一次回路側とにそれぞれ連通可能な三方弁が、第一電磁弁及び第二電磁弁に換えて設置されたことを特徴とするものである。
【００１１】
請求項５に記載の発明は、請求項１乃至４のいずれかに記載の発明において、上記各ショーケース毎に設けられた二次回路が並列に接続され、これらのショーケースにおいて、通常冷却運転と霜取り運転のうちのいずれか同一の運転が実施可能に構成されたことを特徴とするものである。
【００１２】
請求項１に記載の発明には、次の作用がある。
【００１３】
各二次回路の冷却器に対する霜取り運転時には、第一電磁弁を閉操作し、第二電磁弁を開操作し、二次ポンプを起動させて、二次往路の下流側部分と冷却器と二次復路の上流側部分とバイパス回路との間でブラインを循環させ、この間に霜取り用熱交換器にてブラインの温度を上昇させることから、霜取り用熱交換器にて昇温され上述のごとく循環されたブラインによっても冷却器の霜取りが行われるので、この冷却器の近傍に配置された霜取り用ヒータの動作のみによって当該冷却器の霜取りを実施する場合に比べ、霜取りヒータの容量を低減でき、この結果、霜取り運転時におけるランニングコストを低減できる。
【００１４】
また、ショーケースの通常冷却運転時には、第一電磁弁を開操作し、第二電磁弁を閉操作し、二次ポンプを起動させて、一次回路からブラインを二次回路の冷却器へ導き、また、冷却器の霜取り運転時には、第一電磁弁を閉操作し、第二電磁弁を開操作し、上記二次ポンプを起動させてブラインを上述のごとく循環させるので、この二次ポンプが冷却用ポンプと霜取り用ポンプに兼用できる。このため、二次回路及びバイパス回路の構成を簡便化でき、冷却システムのイニシャルコストを低減できる。
【００１５】
更に、二次ポンプが二次回路の二次復路、つまり冷却器の高温側に設置されたので、二次ポンプは、高温で粘度の小さなブラインを圧送することになり、ポンプ効率を向上させることができる。
【００１６】
請求項２に記載の発明には、次の作用がある。
【００１７】
各ショーケースの冷却器に対する霜取り運転時には、第一電磁弁を閉操作し、第二電磁弁を開操作し、二次ポンプを起動させて、二次往路の下流側部分と冷却器と二次復路の上流側部分とバイパス回路との間でブラインを循環させ、この間に霜取り用熱交換器にてブラインの温度を上昇させることから、霜取り用熱交換器にて昇温され上述のごとく循環されたブラインによっても冷却器の霜取りが行われるので、この冷却器の近傍に配置された霜取り用ヒータの動作のみによって当該冷却器の霜取りを実施する場合に比べ、霜取りヒータの容量を低減でき、この結果、霜取り運転時におけるランニングコストを低減できる。
【００１８】
また、ショーケースの通常冷却運転時には、第一電磁弁を開操作し、第二電磁弁を閉操作し、二次ポンプを起動させて、一次回路からブラインをショーケースの冷却器へ導き、また、冷却器の霜取り運転時には、第一電磁弁を閉操作し、第二電磁弁を開操作し、上記二次ポンプを起動させてブラインを上述のごとく循環させるので、この二次ポンプが冷却用ポンプと霜取り用ポンプに兼用できる。このため、二次回路及びバイパス回路の構成を簡便化でき、冷却システムのイニシャルコストを低減できる。
【００１９】
請求項３に記載の発明には、次の作用がある。
【００２０】
霜取り用熱交換器がショーケースの天面部に設置されたことから、霜取り用熱交換器にてブラインと熱交換された空気がショーケースの天面部近傍を流れるので、この空気がショーケースに対峙した人に当たらず、不快感の発生を未然に防止できる。
【００２１】
請求項４に記載の発明には、次の作用がある。
【００２２】
二次回路における二次復路とバイパス回路との分岐部には、冷却器側と霜取り用熱交換器側と一次回路側とにそれぞれ連通可能な三方弁が、第一電磁弁及び第二電磁弁に換えて設置されたことから、第一電磁弁及び第二電磁弁を用いる場合に比べ、三方弁を制御する制御回路を簡便化することができる。
【００２３】
請求項５に記載の発明には、次の作用がある。
【００２４】
各ショーケース毎に設けられた二次回路が並列に接続され、これらのショーケースにおいて通常冷却運転と霜取り運転のうちのいずれか同一の運転が実施可能に構成されたことから、これらのショーケースにおいて、二次ポンプ、霜取り用熱交換器、第一電磁弁及び第二電磁弁（三方弁）を共用化できるので、これらの二次ポンプ、霜取り用熱交換器、第一電磁弁及び第二電磁弁（三方弁）の個数を削減でき、冷却システムのイニシャルコストを低減できる。
【００２５】
【発明の実施の形態】
以下、本発明の実施の形態を、図面に基づき説明する。
【００２６】
［Ａ］第一の実施の形態（図１〜図４）
図１は、本発明に係るブラインを用いた冷却システムの第一の実施の形態であるブライン冷却システムの全体構成を示す回路図である。
【００２７】
この図１に示すブライン冷却システム１０は、ブラインを用いて複数台のショーケース１３Ａ、１３Ｂ、１３Ｃ・・・を冷却するものである。このブライン冷却システム１０は、ブラインチラーユニット１４、一次回路１１、二次回路１２Ａ、１２Ｂ、１２Ｃ・・・、二次ポンプ３０、第一電磁弁３１、及びバイパス回路２９を有して構成され、バイパス回路２９に第二電磁弁３２及び霜取り用熱交換器３３が設けられる。
【００２８】
上記ブラインチラーユニット１４は、圧縮機１５、凝縮機１６、減圧機構１７及び蒸発器１８を有する冷凍サイクルを備え、この冷凍サイクルに冷媒が循環する。上記蒸発器１８に一次回路１１が接続され、この蒸発器１８により、一次回路１１内を流れる後述のブラインが冷却される。
【００２９】
上記一次回路１１は、ブラインをブラインチラーユニット１４から供給するための一次往路１９と、ブラインをブラインチラーユニット１４に回収するための一次復路２０とを有して閉回路に構成されたものである。更に、この一次回路１１の一次復路２０には、常時起動される一次ポンプ２１が配設されている。この一次ポンプ２１の起動によって一次回路１１内でブラインが循環される。
【００３０】
上記二次回路１２Ａ、１２Ｂ、１２Ｃ・・・は、複数台のショーケース１３Ａ、１３Ｂ、１３Ｃ・・・毎にそれぞれ設けられ、冷却器２２、二次往路２３及び二次復路２４を備えて成る。
【００３１】
冷却器２２は、各ショーケース１３Ａ、１３Ｂ、１３Ｃ・・・において、図２に示す冷気通路２５内に配設される。この冷却器２２は、同様に冷気通路２５内に配設されたブロア２６の作用で、冷気通路２５を流れる空気を冷却して冷却空気とする。この冷却空気は、冷気通路２５の吹出口２７から各ショーケース１３Ａ、１３Ｂ、１３Ｃ・・・内へ流出し、食品などを冷却する。尚、符号２８は、冷気通路２５の吸込口である。
【００３２】
二次往路２３は、図１に示すように、一次回路１１の一次復路２０または一次往路１９と冷却器２２とに共に接続されて、一次回路１１からのブラインを取り込んで冷却器２２へ導入可能とする。また、二次復路２４は、一次回路１１の一次復路２０または一次往路１９と冷却器２２とに共に接続されて、冷却器２２からのブラインを一次回路１１へ導出可能とする。本実施の形態では、ショーケース１３Ａ及び１３Ｂの二次往路２３及び二次復路２４が一次回路１１の一次復路２０に接続され、ショーケース１３Ｃの二次往路２３及び二次復路２４が一次回路１１の一次往路１９に接続されている。
【００３３】
前記二次ポンプ３０は、各二次回路１２Ａ、１２Ｂ、１２Ｃ・・・の二次復路２４に配設されて、それぞれの二次回路１２Ａ、１２Ｂ、１２Ｃ・・・内でブラインを流動させる。二次復路２４内を流れるブラインは、二次往路２３内を流れるブラインに比べ、冷却器２２にて熱交換されるため高温状態にあり、その粘度が小さくなっている。従って、二次ポンプ３０は、この粘度の小さなブラインを圧送して流動させる。
【００３４】
前記第一電磁弁３１は、各二次回路１２Ａ、１２Ｂ、１２Ｃ・・・の二次復路２４において、二次ポンプ３０の下流側に配設される。第一電磁弁３１の開操作と第二電磁弁３２の閉操作により、冷却器２２にて熱交換されたブラインが、二次ポンプ３０の作用で一次回路１１へ戻される。
【００３５】
前記バイパス回路２９は、一端が、各二次回路１２Ａ、１２Ｂ、１２Ｃ・・・の二次復路２４において、二次ポンプ３０と第一電磁弁３１との間から分岐され、他端が、各二次回路１２Ａ、１２Ｂ、１２Ｃ・・・の二次往路２３に接続される。更に、このバイパス回路２９には、上流側（つまり二次ポンプ３０に近い側）から下流側（つまり二次ポンプ３０に遠い側）へ向かって第二電磁弁３２、霜取り用熱交換器３３が順次接続されている。
【００３６】
第二電磁弁３２の開操作と第一電磁弁３１の閉操作により、冷却器２２にて熱交換されたブラインが、二次ポンプ３０の作用で霜取り用熱交換器３３へ導かれる。この時、二次往路２３の下流側部分と冷却器２２と二次復路２４の上流側部分とバイパス回路２９とが霜取り用閉回路３７を構成し、ブラインがこの霜取り用閉回路３７内を循環する。
【００３７】
霜取り用熱交換器３３は、近傍に設置されたファン３４の作用で当該霜取り用熱交換器３３に取り込まれた外気Ａとブラインとを熱交換し、ブラインの温度を上昇させる。これらの霜取り用熱交換器３３及びファン３４は、各ショーケース１３Ａ、１３Ｂ、１３Ｃ・・・の天面部３５に設置されて、ファン３４からの外気Ａが、それぞれのショーケース１３Ａ、１３Ｂ、１３Ｃ・・・に対峙した人に吹き付けられないよう考慮されている。
【００３８】
尚、図２中の符号３８は、霜取り用熱交換器３３に付着して生成された水滴を流下させるドレン管である。また、符号３６は、各ショーケース１３Ａ、１３Ｂ、１３Ｃ・・・の冷却器２２近傍に設置され、ブライン冷却システム１０の霜取り運転時にＯＮ動作されて冷却器２２の霜取りを実行する霜取り用ヒータである。ブライン冷却システム１０の霜取り運転時には、霜取り用閉回路３７（図２）を循環するブラインの温度と、ＯＮ動作した霜取り用ヒータ３６の加熱温度により冷却器２２が除霜される。
【００３９】
次に、ブライン冷却システム１０の通常冷却運転と霜取り運転をそれぞれ説明する。
【００４０】
ここで、通常冷却運転は、サーモＯＮモードとサーモＯＦＦモードとを繰り返すサーモサイクル運転であり、この時（特にサーモＯＮモード時）のブラインの流れを図２の太線で示す。また、霜取り運転は、二次回路１２Ａ、１２Ｂ、１２Ｃ・・・の冷却器２２に付着した霜を取り除く運転であり、この時のブラインの流れを図３の太線で示す。
【００４１】
（１）通常冷却運転（図１、図２）
まず、サーモＯＮモードではブラインチラーユニット１４及び一次ポンプ２１を起動し、一次回路１１内でブラインを循環させると共に、二次ポンプ３０を起動させる。尚、一旦起動した一次ポンプ２１は、ブライン冷却システム１０の運転中において停止させること無く運転状態として、特に、ブラインの低温状態化における一次ポンプ２１起動時に生ずる損傷を低減し、一次ポンプ２１の耐久性を向上させる。
【００４２】
この状態で、第一電磁弁３１を開操作し、第二電磁弁３２を閉操作して、一次回路１１から二次回路１２Ａ、１２Ｂ、１２Ｃ・・・の二次往路２３へブラインを流入させ、このブラインを冷却器２２へ導く。このブラインは、ブラインチラーユニット１４にて冷却されているので、冷却器２２にて冷気通路２５内を流れる空気を冷却し、ショーケース１３Ａ、１３Ｂ、１３Ｃ・・・内の例えば食品などを冷却する。冷却器２２を流れたブラインは、二次復路２４を経て一次回路１１に回収され、ブラインチラーユニット１４に戻されて再び冷却される。
【００４３】
ここで、二次回路１２Ａ及び１２Ｂにおいては、ブラインは一次回路１１の一次復路２０から取り込まれ、同じく一次復路２０へ戻される。また、二次回路１２Ｃにおいては、ブラインは一次回路１１の一次往路１９から取り込まれ、同じく一次往路１９へ戻される。
【００４４】
上述のサーモＯＮモードは、図４では二次ポンプ３０のＯＮ、第一電磁弁３１のＯＮ、第二電磁弁３２及び霜取り用ヒータ３６のＯＦＦであり、ショーケース庫内温度が徐々に低下する「ａ」の部分に相当する。
【００４５】
次に、サーモＯＦＦモードでは第一電磁弁３１及び第二電磁弁３２をともに閉操作し、且つ、二次ポンプ３０を停止させる。これにより、ブラインは、一次回路１１から二次回路１２Ａ、１２Ｂ、１２Ｃ・・・へ供給されず、従って各ショーケース１３Ａ、１３Ｂ、１３Ｃ・・・内の温度が上昇する。
【００４６】
このサーモＯＦＦモードは、図４では二次ポンプ３０のＯＦＦ、第一電磁弁３１のＯＮ、第二電磁弁３２及び霜取り用ヒータ３６のＯＦＦであり、ショーケース庫内温度が徐々に上昇する「ｂ」の部分に相当する。
【００４７】
（２）霜取り運転（図１、図３）
霜取り運転では、霜取り用ヒータ３６をＯＮ動作させると共に、第一電磁弁３１を閉操作し、第二電磁弁３２を開操作し、二次ポンプ３０及びファン３４を起動させる。これにより、二次往路２３の下流側部分と冷却器２２と二次復路２４の上流側部分とバイパス回路２９との間で霜取り用閉回路３７が構成され、ブラインはこの霜取り用閉回路３７内を循環する。ブラインは、霜取り用閉回路３７内を循環する間に、霜取り用熱交換器３３においてファン３４の作用で外気Ａと熱交換し、温度が上昇する。この昇温されたブラインが冷却器２２内を流れ、更に霜取り用ヒータ３６から冷却器２２が加熱されることによって、冷却器２２の除霜が実施される。
【００４８】
この霜取り運転は、図４では、二次ポンプ３０のＯＮ、第一電磁弁３１のＯＦＦ、第二電磁弁３２及び霜取り用ヒータ３６のＯＮであり、ショーケース庫内温度が急激に上昇する「ｃ」の部分に相当する。
【００４９】
従って、上記実施の形態のブライン冷却システム１０によれば、次の効果▲１▼〜▲４▼を奏する。
【００５０】
▲１▼各ショーケース１３Ａ、１３Ｂ、１３Ｃ・・・に設置された冷却器２２に対する霜取り運転時には、第一電磁弁３１を閉操作し、第二電磁弁３２を開操作し、二次ポンプ３０を起動させて、二次回路１２Ａ、１２Ｂ、１２Ｃ・・・において、二次往路２３の下流側部分と冷却器２２と二次復路２４の上流側部分とバイパス回路２９にて構成される霜取り用閉回路３７内でブラインを循環させ、この間に霜取り用熱交換器３３にてブラインの温度を上昇させることから、霜取り用熱交換器３３にて昇温され霜取り用閉回路３７を循環するブラインによっても冷却器２２の霜取りが行われるので、この冷却器２２の近傍に設置された霜取り用ヒータ３６のＯＮ動作のみによって冷却器２２の霜取りを実施する場合に比べ、霜取り用ヒータ３６の容量を低減でき、この結果、霜取り運転時におけるランニングコストを低減できる。
【００５１】
▲２▼各ショーケース１３Ａ、１３Ｂ、１３Ｃ・・・の通常冷却運転時には、第一電磁弁３１を開操作し、第二電磁弁３２を閉操作し、二次ポンプ３０を起動させて、一次回路１１からブラインを二次回路１２Ａ、１２Ｂ、１２Ｃ・・・の冷却器２２へ導き、また、冷却器２２の霜取り運転時には、第一電磁弁３１を閉操作し、第二電磁弁３２を開操作し、二次ポンプ３０を起動させて、ブラインを霜取り用閉回路３７内で循環させるので、この二次ポンプ３０が冷却用ポンプと霜取り用ポンプに兼用できる。このため、二次回路１２Ａ、１２Ｂ、１２Ｃ・・・及びバイパス回路２９の構成を簡便化でき、ブライン冷却システム１０のイニシャルコストを低減できる。
【００５２】
▲３▼二次ポンプ３０が二次回路１２Ａ、１２Ｂ、１２Ｃ・・・の二次復路２４、つまり冷却器２２の高温側に設置されたので、二次ポンプ３０は、高温で粘度の小さなブラインを圧送することになり、ポンプ効率を向上させることができる。
【００５３】
▲４▼霜取り用熱交換器３３がショーケース１３Ａ、１３Ｂ、１３Ｃの天面部に設置されたことから、霜取り用熱交換器３３にてブラインと熱交換された外気Ａがショーケース１３Ａ、１３Ｂ、１３Ｃ・・・の天面部３５近傍を流れるので、この外気Ａがショーケース１３Ａ、１３Ｂ、１３Ｃ・・・に対峙した人に当たらず、不快感の発生を未然に防止できる。
［Ｂ］第二の実施の形態（図１、図２）
この第二の実施の形態のブライン冷却システム４０では、各二次回路１２Ａ、１２Ｂ、１２Ｃ・・・において、二次ポンプ４２が二次ポンプ３０に換えて、図２に示すように二次往路２３に配設されている。前記ブライン冷却システム１０と同様に、第一電磁弁３１は二次復路２４に配設され、第二電磁弁３２はバイパス回路２９に配設される。このバイパス回路２９は、二次復路２４における第一電磁弁３１の上流側から分岐されると共に、二次往路２３において二次ポンプ４２の上流側に接続される。
【００５４】
尚、このブライン冷却システム４０において、前記ブライン冷却システム１０と同様な部分は、同一の符号を付すことにより説明を省略する。
【００５５】
上述の回路構成により、通常冷却運転時のサーモＯＮモードでは、二次ポンプ４２の起動、第一電磁弁３１の開操作、及び第二電磁弁３２の閉操作によって、一次回路１１から二次回路１２Ａ、１２Ｂ、１２Ｃ・・・内へブラインが取り込まれ、このブラインが冷却器２２へ導かれて、ショーケース１３Ａ、１３Ｂ、１３Ｃ・・・の庫内を冷却する。また、通常冷却運転時のサーモＯＦＦモードでは、二次ポンプ４２の停止、第一電磁弁３１及び第二電磁弁３２の閉操作によって、一次回路１１から二次回路１２Ａ、１２Ｂ、１２Ｃ・・・内へブラインが流入せず、ショーケース１３Ａ、１３Ｂ、１３Ｃ・・・内の庫内温度が上昇する。
【００５６】
更に、霜取り運転時には、第一電磁弁３１の閉操作及び第二電磁弁３２の開操作によって、二次往路２３の下流側部分と冷却器２２と二次復路２４の上流側部分とバイパス回路２９とにより霜取り用閉回路４３が構成される。そして、二次ポンプ４２の起動により、ブラインが霜取り用閉回路４３内を循環し、この間に霜取り用熱交換器３３にて昇温されるブラインと霜取り用ヒータ３６からの加熱により、冷却器２２の除霜が実施される。
【００５７】
この第二の実施の形態のブライン冷却システム４０においては、二次ポンプ４２の配置位置が前記ブライン冷却システム１０と異なるだけなので、前記実施の形態の効果▲１▼〜▲３▼と同様な効果を奏する。
【００５８】
［Ｃ］第三の実施の形態（図１、図５）
図５は、本発明に係るブラインを用いた冷却システムの第三の実施の形態であるブライン冷却システムの二次回路を示す回路図である。この第三の実施の形態において、前記第一の実施の形態と同様な部分は、同一の符号を付すことにより説明を省略する。
【００５９】
この第三の実施の形態のブライン冷却システム５０では、各二次回路１２Ａ、１２Ｂ、１２Ｃ・・・において、二次復路２４におけるバイパス回路２９の分岐部に三方弁５１が、第一電磁弁３１及び第二電磁弁３２に代えて設置されている。この三方弁５１は、三つのポートのそれぞれが、冷却器２２側（二次ポンプ３０側）と霜取り用熱交換器３３側と一次回路１１側とに連通可能に設けられている。
【００６０】
上記三方弁５１は、ブライン冷却システム１０の通常冷却運転におけるサーモＯＮモード時に、冷却器２２側（二次ポンプ３０側）ポートと一次回路１１側ポートとを連通状態とし、ブライン冷却システム１０の霜取り運転時に、冷却器２２側（二次ポンプ３０側）ポートと霜取り用熱交換器３３側ポートとを連通状態とする。ブライン冷却システム１０の通常冷却運転におけるサーモＯＦＦモード時には、冷却器２２側（二次ポンプ３０側）と霜取り用熱交換器３３側と一次回路１１側とを遮断状態とする。
【００６１】
従って、このブライン冷却システム５０においても、前記実施の形態のブライン冷却システム１０の効果▲１▼〜▲４▼と同様な効果を奏するほか、次の効果▲５▼を奏する。
【００６２】
▲５▼二次回路１２Ａ、１２Ｂ、１２Ｃ・・・における二次復路２４とバイパス回路２９との分岐部には、冷却器２２側と霜取り用熱交換器３３側と一次回路１１側とにそれぞれ連通可能な三方弁５１が、第一電磁弁３１及び第二電磁弁３２に換えて設置されたことから、これらの第一電磁弁３１及び第二電磁弁３２を用いる場合に比べ、三方弁５１を制御する制御回路を簡便化することができる。
【００６３】
［Ｄ］第四の実施の形態（図６）
図６は本発明に係るブラインを用いた冷却システムの第四の実施の形態であるブライン冷却回路の全体構成を示す回路図である。この第四の実施の形態において、前記第一の実施の形態と同様な部分は、同一の符号を付すことにより説明を省略する。
【００６４】
この第四の実施の形態のブライン冷却システム６０では、ショーケース１３Ａの二次回路１２Ａと、ショーケース１３Ｂの二次回路１２Ｂとが並列に接続され、ショーケース１３Ｃの二次回路１２Ｃとショーケース１３Ｄと二次回路１２Ｄとが並列に接続されている。つまり、二次回路１２Ａと二次回路１２Ｂの二次往路２３同士がバイパス回路２９接続点の下流側で接続され、二次回路１２Ａと二次回路１２Ｂの二次復路２４同士が二次ポンプ３０の上流側で接続されている。また、二次回路１２Ｃと二次回路１２Ｄの二次往路２３同士と二次復路２４同士についても、二次回路１２Ａ、二次回路１２Ｂの場合と同様に接続されている。
【００６５】
上述の回路構成により、二次回路１２Ａと二次回路１２Ｂは、通常冷却運転と霜取り運転のうちのいずれか同一の運転が実施され、また、二次回路１２Ｃと二次回路１２Ｄは、同じく通常冷却運転と霜取り運転のうちのいずれか同一の運転が実施される。
【００６６】
従って、このブライン冷却システム６０においても、前記ブライン冷却システム１０の効果▲１▼乃至▲４▼と同様な効果を奏するほか、次の効果▲６▼を奏する。
【００６７】
▲６▼ショーケース１３Ａの二次回路１２Ａとショーケース１３Ｂの二次回路１２Ｂとが並列に接続され、ショーケース１３Ｃの二次回路１２Ｃとショーケース１３Ｄの二次回路１２Ｄとが並列に接続され、これらのショーケース１３Ａ、１３Ｂ、１３Ｃ・・・において通常冷却運転と霜取り運転とが、二次回路１２Ａと二次回路１２Ｂとで、二次回路１２Ｃと二次回路１２Ｄとでそれぞれ同時に実施可能に構成されたことから、ショーケース１３Ａとショーケース１３Ｄ、ショーケース１３Ｃとショーケース１３Ｄとのそれぞれにおいて、二次ポンプ３０、第一電磁弁３１、第二電磁弁３２及び霜取り用熱交換器３３を共用化できる。このため、これらの二次ポンプ３０、第一電磁弁３１、第二電磁弁３２及び霜取り用熱交換器３３の個数を削減でき、ブライン冷却システム６０のイニシャルコストを低減できる。
【００６８】
以上、本発明を上記実施の形態に基づいて説明したが、本発明はこれに限定されるものではない。
【００６９】
例えば、上記各実施の形態のブライン冷却システム１０、４０、５０、６０においては、配管レイアウトの簡便さを考慮して、各二次回路１２Ａ、１２Ｂ、１２Ｃ・・・の二次往路２３及び二次復路２４が一次回路１１の一次復路２０または一次往路１９に接続（例えば、二次回路１２Ａの二次往路２３及び二次復路２４が一次回路１１の一次復路２０に、二次回路１２Ｃの二次往路２３及び二次復路２４が一次回路１１の一次往路１９にそれぞれ接続）されるものを述べたが、図１の二点鎖線に示すように、二次回路１２Ａ、１２Ｂ、１２Ｃ・・・の二次往路２３が一次回路１１の一次往路１９に、二次復路２４が一次復路２０にそれぞれ接続されても良い。
【００７０】
また、上記第四の実施の形態のブライン冷却システム６０においては、二次回路１２Ａに二次回路１２Ｂの他、複数の二次回路が、二次回路１２Ｃに二次回路１２Ｄの他、複数の二次回路が、それぞれ並列に接続されても良い。
【００７１】
【発明の効果】
以上のように、請求項１に記載の発明に係るブラインを用いた冷却システムによれば、ブラインを冷却するブラインチラーユニットと、一次ポンプを備えて閉回路に構成され、上記ブラインチラーユニットからのブラインを循環させる一次回路と、上記ショーケース毎に設けられ、上記一次回路からブラインを取り込んでショーケースに内蔵された冷却器に流す二次往路、及び上記冷却器からブラインを上記一次回路へ戻す二次復路を有する二次回路と、上記二次回路毎に設けられ、上記二次回路の上記二次復路に配設されて、上記二次回路内でブラインを流動させる二次ポンプと、上記二次回路毎に設けられ、上記二次復路における上記二次ポンプの下流側に配設された第一電磁弁と、上記二次回路毎に設けられ、上記二次回路の上記二次復路における上記二次ポンプと上記第一電磁弁との間から分岐され、上記二次回路の上記二次往路に接続されるとともに、第二電磁弁、霜取り用熱交換器を上流側から順次備えたバイパス回路と、を有することから、霜取り運転時におけるランニングコストを低減できると共に、回路構成を簡便化して冷却システムのイニシャルコストも低減できる。
【００７２】
請求項２に記載の発明に係るブラインを用いた冷却システムによれば、一次ポンプを備えて閉回路に構成され、上記ブラインチラーユニットからのブラインを循環させる一次回路と、上記ショーケース毎に設けられ、上記一次回路からブラインを取り込んでショーケースに内蔵された冷却器に流す二次往路、及び上記冷却器からブラインを上記一次回路へ戻す二次復路を有する二次回路と、上記二次回路毎に設けられ、上記二次回路の上記二次往路に配設されて、上記二次回路内でブラインを流動させる二次ポンプと、上記二次回路毎に設けられ、上記二次復路に配設された第一電磁弁と、上記二次回路毎に設けられ、上記二次回路の上記二次復路における上記第一電磁弁の上流側から分岐され、上記二次回路の上記二次往路における上記二次ポンプ上流側に接続されるとともに、第二電磁弁、霜取り用熱交換器を上流側から順次備えたバイパス回路と、を有することから、霜取り運転時におけるランニングコストを低減できると共に、回路構成を簡便化して冷却システムのイニシャルコストも低減できる。
【図面の簡単な説明】
【図１】本発明に係るブラインを用いた冷却システムの第一の実施の形態であるブライン冷却システムの全体構成を示す回路図である。
【図２】図１の二次回路を示し、通常冷却運転時におけるブラインの流れを示す管路図である。
【図３】図１の二次回路を示し、霜取り運転時におけるブラインの流れを示す管路図である。
【図４】電磁弁及び二次ポンプなどの動作とショーケース庫内温度との関係を示すグラフである。
【図５】本発明に係るブラインを用いた冷却システムの第三の実施の形態であるブライン冷却システムの二次回路を示す管路図である。
【図６】本発明に係るブラインを用いた冷却システムの第４の実施の形態であるブライン冷却システムの全体構成を示す回路図である。
【符号の説明】
１０  ブライン冷却システム
１１  一次回路
１２Ａ、１２Ｂ、１２Ｃ・・・  二次回路
１３Ａ、１３Ｂ、１３Ｃ・・・  ショーケース
２２  冷却器
２３  二次往路
２４  二次復路
２９  バイパス回路
３０  二次ポンプ
３１  第一電磁弁
３２  第二電磁弁
３３  霜取り用熱交換器
３６  霜取り用ヒータ
３７  霜取り用閉回路
４０  ブライン冷却システム
４２  二次ポンプ
５０  ブライン冷却システム
５１  三方弁
６０  ブライン冷却システム
【図１】
0003695974.tif 000002
【図２】
0003695974.tif 000003
【図３】
0003695974.tif 000004
【図４】
0003695974.tif 000005
【図５】
0003695974.tif 000006
【図６】
0003695974.tif 000007